【手続補正書】
【提出日】平成17年7月27日(2005.7.27)
【手続補正１】
【補正対象書類名】特許請求の範囲
【補正対象項目名】全文
【補正方法】変更
【補正の内容】
【特許請求の範囲】
【請求項１】
宛先の通信ノードに関連付けされた宛先を含むデータ伝送を、複数の隣接する通信ノードのうちの１つの通信ノードから受信するステップと、
前記複数の隣接する通信ノードのそれぞれから、前記複数の隣接する通信ノードにそれぞれ接続される複数のコントロール・チャネルを経由して、前記複数の隣接する通信ノードのステータス情報を含むステータス・データを受信するステップと、
前記複数の隣接する通信ノードから受信される前記ステータス・データに基づいて、受信した前記データ伝送を前記宛先に転送するための１つの前記隣接する通信ノードを選択するステップと、
を備える方法。
【請求項２】
前記複数のコントロール・チャネルのそれぞれに対応する複数のプロセッサのそれぞれにおいて、前記複数の隣接する通信ノードから受信した前記ステータス・データを処理するステップ
をさらに備え、
前記通信ノードを選択するステップは、前記複数のプロセッサにおいて処理された前記ステータス・データの少なくとも一部分に基づいて、受信した前記データ伝送を前記宛先に転送するための１つの前記隣接する通信ノードを選択する、請求項１に記載の方法。
【請求項３】
前記複数の隣接する通信ノードのそれぞれが、複数の通信経路次元のうちの１つに関連する、請求項１に記載の方法。
【請求項４】
前記通信ノードを選択するステップは、選択した通信ノードと前記宛先の通信ノードとの間にある通信ノードの予想個数に基づいて、受信した前記データ伝送を前記宛先に転送するための１つの前記隣接する通信ノードを選択する、請求項１に記載の方法。
【請求項５】
前記通信ノードを選択するステップは、前記選択した通信ノードと前記宛先の通信ノードとの間にある通信ノードの予想個数が最小になるように、前記隣接する通信ノードを選択する、請求項４に記載の方法。
【請求項６】
前記通信ノードを選択するステップは、選択した通信ノードから前記宛先の通信ノードまでの予想される遅れが最小になるように、前記隣接する通信ノードを選択する、請求項１に記載の方法。
【請求項７】
前記ステータス情報が、前記データ伝送を前記宛先に転送するための１つ以上の通信ノードの利用可能性を示す利用可能性情報を備え、
前記方法が、前記利用可能性情報に基づいて前記通信ノードの予想個数を決定するステップを更に備える、請求項４に記載の方法。
【請求項８】
前記複数の隣接する通信ノードのそれぞれからの前記ステータス情報が、少なくとも前記隣接する通信ノードのステータス情報と、前記隣接する通信ノードに隣接する通信ノードのステータス情報とを含む、請求項１に記載の方法。
【請求項９】
前記複数の隣接する通信ノードとの間に接続されるデータバスのビットの第１フィールドを経由して、前記隣接する通信ノードのそれぞれからの前記ステータス情報を受信するステップと、
選択した通信ノードとの間に接続されるデータバスのビットの第２フィールドを経由して、前記データ伝送を前記選択した通信ノードに転送するステップと
を更に備える、請求項１に記載の方法。
【請求項１０】
第１の隣接する通信ノードから、前記隣接する通信ノードに接続されたデータバスを経由してブロードキャストメッセージを受信するステップと、
前記第１の隣接する通信ノード以外の隣接する通信ノードへ前記ブロードキャストメッセージを転送するステップと
を更に備える、請求項９に記載の方法。
【請求項１１】
前記隣接する通信ノードへ転送されるブロードキャストメッセージの記録を維持するステップと、
前記隣接する通信ノードへ過去に転送された受信ブロードキャストメッセージの転送を保留するステップと
を更に備える、請求項１０に記載の方法。
【請求項１２】
前記データ伝送に関連付けされたサービス品質に基づいて、前記隣接する通信ノードを経由する転送のために前記データ伝送をキューに入れるステップを更に備える、請求項１に記載の方法。
【請求項１３】
通信ノードであって、
宛先の通信ノードに関連付けされた宛先を含むデータ伝送を受信するロジックと、
複数の隣接する通信ノードのそれぞれから、前記複数の隣接する通信ノードにそれぞれ接続される複数のコントロール・チャネルを経由して、前記複数の隣接する通信ノードのステータス情報を含むステータス・データを受信するロジックと、
前記複数の隣接する通信ノードから受信される前記ステータス・データに基づいて、受信した前記データ伝送を前記宛先に転送するための１つの前記隣接する通信ノードを選択するロジックと、
を備える、通信ノード。
【請求項１４】
前記複数のコントロール・チャネルのそれぞれに対応して設けられ、前記複数の隣接する通信ノードからそれぞれ受信した前記ステータス・データをそれぞれ処理する複数のプロセッサ
をさらに備え、
前記通信ノードを選択するロジックは、前記複数のプロセッサにおいて処理された前記ステータス・データの少なくとも一部分に基づいて、受信した前記データ伝送を前記宛先に転送するための１つの前記隣接する通信ノードを選択する、請求項１３に記載の通信ノード。
【請求項１５】
前記通信ノードが、通信チャネルによって前記複数の隣接する通信ノードのそれぞれに接続するように為され、
前記通信チャネルのそれぞれが、複数の通信経路次元のうちの１つの次元でデータを伝送することが出来る、請求項１４に記載の通信ノード。
【請求項１６】
前記通信ノードを選択するロジックは、選択した通信ノードと前記宛先にの通信ノードとの間にある通信ノードの予想個数に基づいて、受信した前記データ伝送を前記宛先に転送するための１つの前記隣接する通信ノードを選択する、請求項１４に記載の通信ノード。
【請求項１７】
前記ステータス情報が、前記データ伝送を転送するための１つ以上の通信ノードの利用可能性を示す利用可能性情報を備え、
前記通信ノードが、前記利用可能性情報に基づいて前記通信ノードの予想個数を決定するロジックを更に備える、請求項１６に記載の通信ノード。
【請求項１８】
前記隣接する通信ノードのそれぞれからの前記ステータス情報が、少なくとも前記隣接する通信ノードのステータス情報と、前記隣接する通信ノードに隣接する通信ノードのステータス情報とを含む、請求項１４に記載の通信ノード。
【請求項１９】
前記隣接する通信ノードに接続されるデータバスのビットの第１フィールドを経由して、前記隣接する通信ノードのそれぞれからの前記ステータス情報を受信するロジックと、
選択した通信ノードとの間に接続されるデータバスのビットの第２フィールドを経由して、前記データ伝送を前記選択した通信ノードに転送するロジックと
を更に備える、請求項１４に記載の通信ノード。
【請求項２０】
第１の隣接する通信ノードから、前記隣接する通信ノードに接続されたデータバスを経由してブロードキャストメッセージを受信するロジックと、
前記第１の隣接する通信ノード以外の隣接する通信ノードへ前記ブロードキャストメッセージを転送するロジックと
を更に備える、請求項１９に記載の通信ノード。
【請求項２１】
前記隣接する通信ノードへ転送されるブロードキャストメッセージの記録を維持するロジックと、
前記隣接する通信ノードへ過去に転送された受信ブロードキャストメッセージの転送を保留するロジックと
を更に備える、請求項２０に記載の通信ノード。
【請求項２２】
前記データ伝送に関連するサービス品質に基づいて、前記隣接する通信ノードを経由する転送のために前記データ伝送をキューに入れるロジックを更に備える、請求項１４に記載の通信ノード。
【請求項２３】
宛先にデータを伝送するシステムであって、
少なくとも１つが前記宛先に接続される複数の通信ノード
を備え、
前記通信ノードが、
前記宛先の通信ノードに関連付けされた宛先を含むデータ伝送を受信するロジックと、
複数の隣接する通信ノードのそれぞれから、前記複数の隣接する通信ノードにそれぞれ接続される複数のコントロール・チャネルを経由して、前記複数の隣接する通信ノードのステータス情報を含むステータス・データを受信するロジックと、
前記複数の隣接する通信ノードから受信される前記ステータス・データに基づいて、受信した前記データ伝送を前記宛先に転送するための１つの隣接する通信ノードを選択するロジックと
を有するシステム。
【請求項２４】
前記通信ノードが、
前記複数のコントロール・チャネルのそれぞれに対応して設けられ、前記複数の隣接する通信ノードからそれぞれ受信した前記ステータス・データをそれぞれ処理する複数のプロセッサと
をさらに有し、
前記通信ノードを選択するロジックは、前記複数のプロセッサにおいて処理された前記ステータス・データの少なくとも一部分に基づいて、受信した前記データ伝送を前記宛先に転送するための１つの前記隣接する通信ノードを選択する、請求項２３に記載の通信ノード。
【請求項２５】
前記通信ノードが、通信チャネルによって前記複数の隣接する通信ノードのそれぞれに接続されるように為され、
前記通信チャネルのそれぞれが、複数の通信経路次元のうちの１つの次元でデータを伝送することが出来る、請求項２３に記載のシステム。
【請求項２６】
前記通信ノードを選択するロジックは、選択した通信ノードと前記宛先の通信ノードとの間にある通信ノードの予想個数に基づいて、受信した前記データ伝送を前記宛先に転送するための１つの前記隣接する通信ノードを選択する、請求項２３に記載のシステム。
【請求項２７】
前記ステータス情報が、前記データ伝送を転送するための１つ以上の通信ノードの利用可能性を示す利用可能性情報を備え、
前記通信ノードが、前記利用可能性情報に基づいて前記通信ノードの予想個数を決定するロジックを更に有する、請求項２６に記載のシステム。
【請求項２８】
前記隣接する通信ノードのそれぞれからの前記ステータス情報が、少なくとも前記隣接する通信ノードのステータス情報と、前記隣接する通信ノードに隣接する通信ノードのステータス情報とを含む、請求項２３に記載のシステム。
【請求項２９】
前記通信ノードが、
前記隣接する通信ノードに接続されるデータバスのビットの第１フィールドを経由して、前記隣接する通信ノードのそれぞれからの前記ステータス情報を受信するロジックと、
選択した通信ノードとの間に接続されるデータバスのビットの第２フィールドを経由して、前記データ伝送を前記選択した通信ノードに転送するロジックと
を更に有する、請求項２３に記載のシステム。
【請求項３０】
前記通信ノードが、
第１の隣接する通信ノードから、前記隣接する通信ノードに接続されたデータバスを経由してブロードキャストメッセージを受信するロジックと、
前記第１の隣接する通信ノード以外の隣接する通信ノードへ前記ブロードキャストメッセージを転送するロジックと
を更に有する、請求項２９に記載のシステム。
【請求項３１】
前記通信ノードが、
前記隣接する通信ノードへ転送されるブロードキャストメッセージの記録を維持するロジックと、
前記隣接する通信ノードへ過去に転送された受信ブロードキャストメッセージの転送を保留するロジックと
を更に有する、請求項３０に記載のシステム。
【請求項３２】
前記通信ノードが、
前記データ伝送に関連付けられるサービス品質に基づいて、前記隣接する通信ノードを経由する転送のために前記データ伝送をキューに入れるロジック
を更に有する、請求項２３に記載のシステム。
【手続補正２】
【補正対象書類名】明細書
【補正対象項目名】０００２
【補正方法】変更
【補正の内容】
【０００２】
通常、通信インフラストラクチュアは、１人以上の加入者あるいはユーザーに通信サービスを供給するための条件を満たすために配備される。通常、このような通信インフラストラクチュアは、費用制約条件の範囲内で加入者に対する１つ以上のレベルのサービスを満足するように設計されている。通常、このような制約は、通信インフラストラクチュアを構築するために、利用可能なコンポーネントとサブシステムの利用可能性によって決定される。なお、本出願の国際調査、又は対応米国出願の米国での審査において、下記の文献が発見されている。
【特許文献１】米国特許第６１４７９７１号明細書
【特許文献２】米国特許第５９３３４２５号明細書
【特許文献３】欧州特許出願公開第１０９１５３０号明細書
【特許文献４】米国特許第５００８８８２号明細書
【特許文献５】米国特許第４８７５２０８号明細書
【特許文献６】米国特許第５５３７３９４号明細書
【特許文献７】米国特許第５８３８６６３号明細書
【特許文献８】米国特許第６０１１８０４号明細書
【特許文献９】米国特許第６０４９５２４号明細書
【特許文献１０】米国特許第６２４６６６９号明細書
【特許文献１１】米国特許第６２６９０７６号明細書
【特許文献１２】米国特許第６４９６５１０号明細書
【特許文献１３】米国特許第６５７７６５３号明細書
【特許文献１４】米国特許第６６１４７５７号明細書
【特許文献１５】米国特許第６６９７３２５号明細書
【手続補正３】
【補正対象書類名】明細書
【補正対象項目名】００４７
【補正方法】変更
【補正の内容】
【００４７】
本発明を例示する実施形態であると現時点でみなされている事項について図示され、記載されたが、本発明の真の範囲から逸脱することなく、様々な他の修正が為され得、均等物が置換され得る事が当業者によって理解されるであろう。これに加えて、本願明細書において記載されている中心的な発明の概念から逸脱すること無く、特定の状況を本発明の教示に適応させるために多くの修正が為され得る。従って、本発明は開示された特定の実施形態には限定されず、本発明は添付の特許請求の範囲内における全ての実施形態を包含する事が意図される。請求項１に記載の方法は、複数の隣接する通信ノードとの間に接続されるデータバスのビットの第１フィールドを経由して、隣接する通信ノードのそれぞれからのステータス情報を受信するステップと、選択した通信ノードとの間に接続されるデータバスのビットの第２フィールドを経由して、データ伝送を選択した通信ノードに転送するステップとを更に備えてもよい。請求項９に記載の方法は、第１の隣接する通信ノードから、隣接する通信ノードに接続されたデータバスを経由してブロードキャストメッセージを受信するステップと、第１の隣接する通信ノード以外の隣接する通信ノードへブロードキャストメッセージを転送するステップとを更に備えてもよい。請求項１０に記載の方法は、隣接する通信ノードへ転送されるブロードキャストメッセージの記録を維持するステップと、隣接する通信ノードへ過去に転送された受信ブロードキャストメッセージの転送を保留するステップとを更に備えてもよい。